(57)【要約】  移動無線−通信ネットワーク（１０２）からピア・ツー・ピアメッセージフィルタ（１１７）に供給されるピア・ツー・ピアメッセージが求められかつスーパー計算機（１２０）に供給され、該スーパー計算機は移動無線−固定網−インタフェース計算機（１１６）に結合されている。ピア・ツー・ピアメッセージフィルタ（１１７）は移動無線−通信ネットワーク（１０２）に配置されている。
2009514260.tif 000002
【特許請求の範囲】
【請求項１】
通信システム（１００）であって、
・  固定網−通信ネットワーク（１０１）を備え、
・  移動無線−通信ネットワーク（１０２）を備え、
・  移動無線−固定網−インタフェース計算機（１１６）を備え、該インタフェース計算機は固定網−通信ネットワーク（１０１）および移動無線−通信ネットワーク（１０２）と結合されていて、固定網−通信ネットワーク（１０１）および移動無線−通信ネットワーク（１０２）間のデータ流がマッピングされるようにし、
・  移動無線網−固定網−インタフェース計算機（１１６）に結合されているスーパーピア計算機（１２０）を備え、かつ
・  移動無線−通信ネットワーク（１０２）に配置されているピア・ツー・ピアメッセージフィルタ（１１７）を備え、該ピア・ツー・ピアメッセージフィルタは、移動無線−通信ネットワーク（１０２）から該ピア・ツー・ピアメッセージフィルタに供給されるピア・ツー・ピアメッセージ（１１９）が求められかつスーパーホスト計算機（１２０）に供給することができるようにセットアップされている
通信システム（１００）。
【請求項２】
固定網−通信ネットワーク（１０１）はインターネットプロトコルに基づいている
請求項１記載の通信システム（１００）。
【請求項３】
スーパーピアホスト計算機（１２０）は移動無線−通信ネットワーク（１０２）に配置されている
請求項１または２記載の通信システム（１００）。
【請求項４】
移動無線−通信ネットワーク（１０２）は第３世代または次世代の移動無線システムに基づいている
請求項１から３までのいずれか１項記載の通信システム（１００）。
【請求項５】
・  移動無線−通信ネットワーク（１０２）は次の移動無線−通信ネットワーク（１０２）の１つに基づいている：
・  ユニバーサル移動テレコミュニケーションシステム（Universal Mobile Telecommunications System＝ＵＭＴＳ）、
・  フューチャーパブリックランド移動電話システム（Future Public Land Mobile Telephone System＝ＦＰＬＭＴＳ）
請求項４記載の通信システム（１００）。
【請求項６】
移動無線−通信ネットワーク（１０２）はグループスペシャル移動（Groupe Speciale Mobile＝ＧＳＭ）に従った移動無線−通信ネットワークに基づいている
請求項１から３までのいずれか１項記載の通信システム（１００）。
【請求項７】
・  移動無線−通信ネットワーク（１０２）はユニバーサル移動テレコミュニケーションシステム（Universal Mobile Telecommunications System＝ＵＭＴＳ）に基づいており、かつ
・  移動無線網−固定網−インタフェース計算機（１１６）はゲートウェイＧＰＲＳサポートノード計算機である
請求項５記載の通信システム（１００）。
【請求項８】
ピア・ツー・ピアサービスが十分に頻繁に問い合わされるとき該ピア・ツー・ピアサービスがスーパーピア計算機（１２０）にインストールされるようにセットアップされているインスタレーションメカニズムを備えている
請求項１から７までのいずれか１項記載の通信システム（１００）。
【請求項９】
移動無線−通信ネットワーク（１０２）からピア・ツー・ピアメッセージフィルタ（１１７）に供給されるピア・ツー・ピアメッセージ（１１９）が求められかつスーパーピア計算機（１２０）に供給することができるようにセットアップされている
ピア・ツー・ピアメッセージフィルタ（１１７）。
【請求項１０】
・  移動無線ピア・ツー・ピアメッセージ（１１９）を移動無線−通信ネットワーク（１０２）に配置されているピア・ツー・ピアメッセージフィルタ計算機（１１６，１１７）によって求め、
・  移動無線ピア・ツー・ピアメッセージ（１１９）を移動無線網−固定網−インタフェース計算機（１１６）に結合されているスーパーピア計算機（１２０）に伝送し、かつ
・  移動無線ピア・ツー・ピアメッセージ（１１９）をスーパーピア計算機（１２０）によって処理する
ピア・ツー・ピアメッセージの処理方法。
【発明の詳細な説明】
【技術分野】
【０００１】
本発明は通信システム、ピア・ツー・ピアメッセージフィルタ計算機およびピア・ツー・ピアメッセージの処理方法に関する。
【０００２】
ピア・ツー・ピアサービスが固定網−通信ネットワークを用いて相互に結合されている計算機によって用意されることは公知である。インデックスサーバ計算機が使用されない純然たるピア・ツー・ピアサービスでは、例えばピア・ツー・ピアアーキテクチャＧｒｕｔｅｌｌａの場合のように、固定網−通信ネットワークを介して相互に結合されている計算機において内容を検索しかつ分配する際の能力およびスケーリングの枠内において問題が発生する。
【０００３】
この理由から、固定網−通信ネットワークにおいていわゆるスーパーピア計算機（しばしば「サーチ・ハブ（Search Hubs）」として、「スーパーノード（SuperNodes」」または「ウルトラピア（UltraPeers」」とも称される）が使用された。これらはその能力において、すなわちその計算容量において並びに記憶可能なデータ量に関するデータ記憶において「ノーマル」ピア・ツー・ピア計算機より優れている。ピア・ツー・ピアサービスの枠内においてスーパーピア計算機が使用されるアーキテクチャはハイブリッドピア・ツー・ピア計算機アーキテクチャとも称される。
【０００４】
ハイブリッドピア・ツー・ピアアーキテクチャの枠内において、ピア・ツー・ピアホスト計算機、すなわちピア・ツー・ピアサービスがインストールされている計算機に基づいてハイブリッドピア・ツー・ピアサービス内で「ノーマル」ピア・ツー・ピア計算機をスーパーピア計算機として選択するメカニズムを使用することが公知である。性能データとして例えば中央処理ユニット（ＣＰＵ）の計算容量、ピア・ツー・ピア計算機が接続されている通信インタフェースもしくは通信接続の、使用することができる帯域幅、並びにピア・ツー・ピア計算機において使用可能なメモリ場所が使用される。
【０００５】
従来技術によれば、スーパーピア計算機は固定網−通信ネットワークにおいてしか使用可能でない。固定網−通信ネットワークにおける通信は通例、インターネットプロトコル（Internet Protocol＝ＩＰ）およびトランスポートコントロールプロトコル（Transport Control Protocol＝ＴＣＰ）またはユーザデータグラムプロトコル（User Datagram Protocol＝UDP）に従って並びにその都度使用されるピア・ツー・ピアサービスに所属しているピア・ツー・ピアプロトコルに従って行われる。
【０００６】
移動無線端末機によるパケット交換通信の枠内においてピア・ツー・ピアサービスが移動無線端末機によって利用されるようにする場合、移動無線端末機によって利用されるピア・ツー・ピアサービスのパフォーマンスは実質的に、固定網−通信ネットワーク内のどの箇所にそれぞれのサービスに属しているスーパーピア計算機が配置されているかに依存している。移動無線端末機によって生成されたピア・ツー・ピアサービスデータ交換において例えばＧＰＲＳ（General Packet Radio Service）の場合においてデータ交換のデータパケットは常にＧＧＳＮ計算機（Gateway GPRS Support Node-Rechner）を介してＩＰベースド固定網−通信ネットワークにまでおよび最も不都合な場合には再び移動無線−通信ネットワークにまでガイドされなければならない。
【０００７】
この手法では、固定網−通信ネットワーク並びに移動無線−通信ネットワークの必然に必要になる計算機並びに使用することができる帯域幅により著しいリソースが必要になり、このために場合によっては移動無線−通信ネットワーク内のその他のデータ交換またはその他の音声交換に障害を来す可能性がある。
【０００８】
固定網−通信ネットワークにおけるスーパーピア計算機の特定および配置の基本原理は例えば、ＦａｓｔＴｒａｃｋもしくはＧｎｕｔｅｌｌａリフレクタのようなアーキテクチャにおいて公知である。
【０００９】
ＦａｓｔＴｒａｃｋの場合、「通常の」ピア・ツー・ピア計算機がその他のピア・ツー・ピア計算機に対して改善されているネットワーク結合、すなわちインデックスサーバ計算機（スーパーピア計算機）より広く使用可能になっている帯域幅または一層大きく使用することができる計算容量に基づいて全体のピア・ツー・ピア通信ネットワークのためにダイナミックに選択される。
【００１０】
Ｇｎｕｔｅｌｌａアーキテクチャによれば、いわゆるリフレクタ計算機が通例はよくない状態で結合されているモデム・サブ通信ネットワークへのアクセス箇所にインストールされる。リフレクタ計算機はユーザにトランスペアレントである質問メッセージを残りのインターネットベースド通信ネットワークから束ねかつ可能なときには直接応答する。更にリフレクタ計算機は非常にしばしば問い合わせのあるデータ、別様に表現すればポピュラーな内容のバッファリングも行うので、ただ単に低レートの通信コネクションしかできないピア・ツー・ピア計算機の負荷が軽減される。
【００１１】
この種のリフレクタ計算機は通例例えばイントラネット／インターネットゲートウェイ計算機のようなネットワーク移行箇所においてインストールされる。
【００１２】
本発明の課題は、移動無線−通信ネットワーク内のインターネットベースドピア・ツー・ピアサービスの使用能力を改善することである。
【００１３】
この課題は、独立請求項に記載の構成要件を備えている通信システム、ピア・ツー・ピアメッセージフィルタ計算機並びにピア・ツー・ピアメッセージの処理方法によって解決される。
【００１４】
通信システムは、固定網−通信ネットワーク、移動無線−通信ネットワーク並びにこれらの通信ネットワークの間の接続ノードとして実現されている移動無線網−固定網インタフェース計算機を有しており、該移動無線網−固定網インタフェース計算機は固定網−通信ネットワークおよび移動無線−通信ネットワークに結合されており、その際移動無線網−固定網インタフェース計算機はＧＧＳＮ（Gateway GPRS Support Node 計算機）としてセットアップされている。移動無線網−固定網インタフェース計算機は固定網−通信ネットワークから到来するデータ流を移動無線−通信ネットワークにおいて使用される通信プロトコルにマッピングしかつ移動無線−通信ネットワークから到来するデータ流を固定網−通信ネットワークにおいて使用される通信プロトコルにマッピングするようにセットアップされている。更に移動無線網−固定網インタフェース計算機に結合されているスーパーピア計算機が設けられている。移動無線−通信ネットワークにおいて更にピア・ツー・ピアメッセージフィルタが配置されており、これは移動無線−通信ネットワークから該ピア・ツー・ピアメッセージフィルタに供給されるピア・ツー・ピアメッセージが求められかつスーパーピア計算機に供給されるようにセットアップされている。
【００１５】
実施形態によれば、固定網−通信ネットワークからの通信もピア・ツー・ピアメッセージフィルタを使用して行われるように設定されており、この場合固定網−通信ネットワークからピア・ツー・ピアメッセージフィルタに供給されるピア・ツー・ピアメッセージが求められかつ移動無線−通信ネットワークにおける計算機に供給されるようにセットアップされている。
【００１６】
移動無線−通信ネットワークに配置されているピア・ツー・ピアメッセージフィルタ計算機は、移動無線−通信ネットワークからこれに供給されるピア・ツー・ピアメッセージが求められかつピア・ツー・ピアメッセージフィルタ計算機に結合されているスーパーピア計算機に供給できるようにセットアップされている。
【００１７】
ピア・ツー・ピアメッセージの処理のための方法では、移動無線ピア・ツー・ピアメッセージが求められかつ該移動無線ピア・ツー・ピアメッセージは移動無線網−固定網インタフェース計算機に結合されているスーパーピア計算機に伝送され、これは該計算機によって処理される。移動無線ピア・ツー・ピアメッセージを探し出すことは本発明によれば移動無線−通信ネットワークに配置されているピア・ツー・ピアメッセージフィルタ計算機を用いて行われる。
【００１８】
具体的には本発明は、移動無線−通信ネットワークにおいて既にもしくは少なくとも直接またはメッセージ流の観点から移動無線−通信ネットワークの非常に近傍においてインターネットベースドピア・ツー・ピアメッセージが求められかつ移動無線網−固定網インタフェース計算機に非常に近傍に配置されているスーパーピア計算機への転送が行われる点に見ることができる。
【００１９】
「近傍」という表現はこの関係において、スーパーピア計算機、すなわちスーパーピア機能を有している計算機が移動無線網−固定網インタフェース計算機と使用可能な大きな帯域幅を有する通信接続を用いて、換言すれば最適化された通信接続を用いて結合されている、例えば移動無線網−固定網インタフェース計算機の直接近傍において、有利には別の交換計算機の中間接続のない直接的な結合を用いて専用の端子がインターネットベースド固定網−通信ネットワークに結合されているものと理解することができる。
【００２０】
ピア・ツー・ピアメッセージフィルタ計算機および有利にはスーパーピア計算機も移動無線−通信ネットワークに配置されておりかつ移動無線−通信ネットワークプロバイダーによって管理されかつ作動される。
【００２１】
有利にはスーパーピア計算機は移動無線−通信ネットワークにおいて、第３世代の移動無線網の使用の際に例えば移動無線−通信ネットワークのコアネットワークに配置されている。
【００２２】
スーパーピア計算機は第３世代の移動無線−通信プロトコルの使用の際例えばＧＰＲＳまたはＵＭＴＳに従ってＳＧＳＮ計算機（Serving GPRS Support Node 計算機）またはＧＧＳＮ（Gateway GPRS Support Node 計算機）によってアドレス指定可能である。
【００２３】
本発明によれば多数のピア・ツー・ピア計算機を介して頻繁に転送されるピア・ツー・ピアメッセージに基づいている移動無線−通信ネットワークのコアネットワークにおけるデータトラヒックがピア・ツー・ピアデータトラヒックの早期の処理により負荷軽減される。早期の処理は殊に、移動無線網−固定網インタフェース計算機に対してスーパーピア計算機が直接近傍に配置されていることによる。
【００２４】
更にスーパーピア計算機の必要な帯域幅並びに必要な計算容量に関して種々のピア・ツー・ピアサービスの支援が最適化される。
【００２５】
更にピア・ツー・ピア検索問い合わせメッセージにおける応答時間が短縮されかつ要求されたデータはデータを要求する移動無線端末機が迅速に使用することができ、これにより移動通信端末機からのピア・ツー・ピアサービスのユーザに対するサービス品質は改善される。
【００２６】
更に独自のスーパーピア計算機を利用するという選択的な提供により移動無線−通信ネットワークプロバイダーに対する魅力および付加サービスの可能性が高められる。
【００２７】
本発明の有利な発展形態は従属請求項から明らかである。
【００２８】
以下に説明する本発明の実施形態は通信システム、ピア・ツー・ピアメッセージフィルタ計算機並びにピア・ツー・ピアメッセージの処理方法に関する。
【００２９】
本発明の１つの実施形態によれば固定網−通信ネットワークはインターネットプロトコル、すなわち殊にインターネットプロトコル（Internet Protocol＝ＩＰ）およびトランスポートコントロールプロトコル（Transport Control Protocol＝ＴＣＰ）またはユーザデータグラムプロトコル（User Datagram Protocol＝ＵＤＰ）に基づいている。
【００３０】
スーパー計算機は有利には移動無線−通信ネットワークに配置されている。
【００３１】
本発明のこの実施形態によって、移動無線端末機から送信されるピア・ツー・ピア要求メッセージのメッセージ経路が一段と短縮されかつ固定網−通信ネットワークに膨大なデータ流が送られかつそこで多数の交換計算機およびまた固定網−ピア・ツー・ピア計算機を介した伝送の後のようやくピア・ツー・ピア要求メッセージを処理することができるスーパーピア計算機が固定網−通信ネットワークにおいて突き止められることが妨げられる。
【００３２】
移動無線−通信ネットワークは本発明の実施形態によれば、第３世代または次世代の移動無線システム、殊に
・  ユニバーサル移動テレコミュニケーションシステム（Universal Mobile Telecommunications System＝ＵＭＴＳ）、
・  フューチャーパブリックランド移動電話システム（Future Public Land Mobile Telephone System＝ＦＰＬＭＴＳ）
に基づいている。
【００３３】
本発明の別の実施形態によれば、移動無線−通信ネットワークはグループスペシャル移動（Groupe Speciale Mobile＝ＧＳＭ）標準に従ってセットアップされている。
【００３４】
ゲートウェイサポートノード計算機（Gateway Support Node 計算機＝ＧＧＳＮ計算機）が移動無線網において移動無線−固定網インタフェース計算機として設けられている場合には、有利には移動無線−通信ネットワークがＵＭＴＳ通信ネットワークとしてインストールされている場合には、移動無線−通信ネットワークから固定網−通信ネットワークへの通信およびその逆の通信もＧＧＳＮ計算機を用いて行われる。
【００３５】
本発明の別の実施形態によれば、相応のピア・ツー・ピアサービスが移動無線端末機によって十分に頻繁に問い合わされたとき該ピア・ツー・ピアサービスがスーパーピア計算機にインストールされるインスタレーションメカニズムが設けられている。
【００３６】
ピア・ツー・ピアサービスが移動無線端末機によって問い合わされる頻度はその都度提供されるピア・ツー・ピアサービスに対してスーパーピア計算機にまたはピア・ツー・ピアメッセージフィルタ計算機に設けられている計数器によって求めることができる。ピア・ツー・ピアサービスが予め定めたしきい値がこのことを設定しているより頻繁に問い合わされた場合には、それぞれのピア・ツー・ピアサービスは以下にスーパーホスト計算機とも称するスーパーピア計算機に、それがともかくこの計算機にインストールされていないときはインストールされる。この関係において、複数のスーパーピアが同一のスーパーピアホスト計算機にインストールされていてもよく、従ってそこで実行されるようにすることができることを指摘しておく。
【００３７】
択一的な実施形態において、ピア・ツー・ピアサービスのそれぞれの計数器を予め定めた時間間隔後にリセットし、問い合わせ率がそれぞれのピア・ツー・ピアサービスに対するインスタレーション判断基準として使用されるように設定される。別様に表現すれば、予め定めた時間間隔において、移動無線−通信ネットワークにおける移動無線端末機から予め定めたしきい値がこれを設定したより多くのピア・ツー・ピア要求がスーパーピア計算機によって問い合わされるとき、ピア・ツー・ピアサービスがスーパーピア計算機においてインストールされる。
【００３８】
本発明の実施例が図示されておりかつ次の詳細に説明する。
【００３９】
図は、固定網−通信ネットワーク１０１および移動無線−通信ネットワーク１０２を備えている通信システム１００を示している。
【００４０】
固定網−通信ネットワークにおいて多数の計算機１０３，１０４，１０５，１０６，１０７，１０８，１０９，１１０が設けられている。これらは固定網−通信ネットワーク１０１を用いて相互に結合されておりかつこの実施例によれば通信のためにインターネットプロトコル（ＩＰ）およびトランスポートコントロールプロトコル（ＴＣＰ）を使用し、別に表現すれば、固定網−通信ネットワーク１０１はインターネットプロトコルに基づいている。
【００４１】
更に固定網計算機１０３，１０４，１０５，１０６，１０７においてピア・ツー・ピアサービスが任意に予め定めた手法でインストールされておりかつ固定網計算機１０３，１０４，１０５はそれぞれのピア・ツー・ピア通信プロトコルに従った通信に対して付加的にセットアップされているので、これらはピア・ツー・ピアサービスを用意しかつ応えることができる。
【００４２】
例えば固定網計算機１０３，１０４，１０５においてファイルシェアリングサービスまたはファイル、例えばマルチメディアファイル、殊にオーディオファイルおよび／またはビデオファイルおよび／または画像ファイルを用意するためのサービスが設けられており、この実施例によれば電話呼び出し音を含んでいるオーディオファイルを用意するためのサービスが設けられている。
【００４３】
有利にはピア・ツー・ピア通信プロトコルＧｎｕｔｅｌｌａまたはピア・ツー・ピア通信プロトコルＦａｓｔＴｒａｃｋに従ったピア・ツー・ピアサービスが使用される。ピア・ツー・ピア通信プロトコルとしてＦａｓｔＴｒａｃｋが使用されると、例えばこれに基づいているピア・ツー・ピアサービスＩｍｅｓｈ，ＧｒｏｋｓｔｅｒまたはＫａＺａＡが用意される。
【００４４】
択一的な実施形態において任意のピア・ツー・ピアサービスおよびピア・ツー・ピア通信プロトコルが使用可能である。
【００４５】
固定網−通信ネットワーク１０１において更にスーパーピア計算機１０６，１０７が設けられている。これらはネットワークにおいて使用可能ないくつかのまたはすべてのピア・ツー・ピアサービスに対してスーパーピア機能を有しており、すなわち例えばその都度のピア・ツー・ピアサービスに対してインデックスサーバとして用いられる。
【００４６】
固定網計算機１０３，１０４，１０５および固定網スーパーピア計算機１０６，１０７はいわゆる総称ピア・ツー・ピアネットワーク１１１を形成し、言い換えればそれぞれのピア・ツー・ピアサービスまたはそれぞれのピア・ツー・ピア通信プロトコルに従って相互に更新することができる計算機のバーチャルネットワークを形成している。
【００４７】
移動無線−通信ネットワーク１０２には多数の移動無線端末機１１２が設けられている。これらは同様にピア・ツー・ピアサービスを用意しまたはそれに応えるために設置されている。
【００４８】
移動無線端末機１１２は無線接続１１３を介して基地局１１４に、および該基地局を用いてＳＧＳＮ計算機１１５および更にＧＧＳＮ計算機１１６に結合されているので、移動無線端末機１１２はＧＧＳＮ計算機１１６とその都度使用される移動無線プロトコルに従ってメッセージを交換することができる。
【００４９】
移動無線−通信ネットワーク１０２はＵＭＴＳ標準に従ってセットアップされている。
【００５０】
本発明のこの実施例によれば、ＧＧＳＮ計算機１１６は移動無線網インタフェース計算機として用いられかつ一方において固定網−通信ネットワーク１０１から到来するデータ流を移動無線−通信ネットワーク１０２において使用される通信プロトコルにマッピングするためにかつ他方において移動無線−通信ネットワーク１０２から到来するデータ流を固定網−通信ネットワーク１０１において使用される通信プロトコルもしくはそのデータフォーマットにマッピングするために用いられる。更にＧＧＳＮ計算機１１６にはピア・ツー・ピアメッセージフィルタ１１７が設けられており、これはＧＧＳＮ計算機１１６に到来するメッセージ流においてピア・ツー・ピアメッセージを求めることができる。
【００５１】
このことは例えば、移動無線端末機１１２からＧＧＳＮ計算機１１６に供給されるピア・ツー・ピア問い合わせメッセージ１１８がＵＭＴＳプロトコルフォーマット、一般にはその都度使用される３ＧＰＰプロトコルフォーマットにおいて供給されかつアンパックされ、すなわちデコーディングされるので、ＧＧＳＮ計算機１１６においてＯＳＩ層７、すなわち応用層のプロトコルレベルにおいてピア・ツー・ピア要求メッセージがその都度使用されるピア・ツー・ピア通信プロトコルフォーマットに従って求められる。
【００５２】
択一的に、ＧＧＳＮ計算機１１６からピア・ツー・ピア問い合わせメッセージ１１８を受信したポートのデータを識別判断基準として使用することができる。というのは通例ピア・ツー・ピアサービスにポート番号が一義的に配属されているからである。
【００５３】
ピア・ツー・ピア問い合わせメッセージ１１８がデコーディングされると、ＧＧＳＮ計算機１１６はマッピングテーブルを使用する。ここにはピア・ツー・ピアメッセージフィルタ１１７によって考慮されるすべてのピア・ツー・ピアプロトコルフォーマットが指定されていて、プロトコルフォーマットの比較を用いて、ピア・ツー・ピアプロトコルフォーマットがメッセージ中に使用されたかどうかおよび場合によってはどのピア・ツー・ピアプロトコルフォーマットが使用されたかかつピア・ツー・ピア要求メッセージ１１８においていずれのピア・ツー・ピアサービスが問い合わされたかが求められる。
【００５４】
ＧＧＳＮ計算機１１６がその都度のピア・ツー・ピアサービスを求められると、該計算機はデコーディングされたピア・ツー・ピア要求メッセージ１１９をＧＧＳＮ計算機１１６に結合されているスーパーピアホスティングサーバー計算機１２０に転送する。スーパーピアホスティングサーバー計算機１２０は同様に移動無線通信ネットワーク１０２に配置されている。スーパーピアホスティングサーバー計算機１２０はデコーディングされたピア・ツー・ピア要求メッセージ１１９を受信しかつそれがピア・ツー・ピア要求メッセージ１１９において要求されたピア・ツー・ピアサービスを自ら行うことができるかどうかを求める。この実施例によれば所定の電話呼び出し音が要求メッセージ１１９において移動無線端末機１１２によって要求される。
【００５５】
最も簡単な場合、要求メッセージ１１８は全く変化されずに、ただアンパックされるようになっている。このことはいずれにせよＧＧＳＮ計算機１１６において行われる。このことは、この場合ピア・ツー・ピア要求メッセージ１１９がＩＰによって送信される、いずれかの隣接ピアの目標アドレスを備えているメッセージであることを意味している。
【００５６】
この場合スーパーピアホスティングサーバー計算機１２０は簡単なＩＰルータ計算機以上の何物でもないが、ただし次の点で相異している：上述したように、サービスの所定の普及度からその都度のピア・ツー・ピアサービスのスーパーピアインスタンスがスーパーピアホスティングサーバー計算機１２０にインストールされるように考慮する計数メカニズムが実行される。
【００５７】
移動通信端末機においてピア・ツー・ピアファイルシェアリングプログラムの修正されていないバージョンがインストールされるとき、次の場合にはこれらの要求メッセージをピア・ツー・ピアメッセージフィルタ１１７またはスーパーピアホスティングサーバー計算機１２０に効果的に処理することは殆ど期待できない。つまりピア・ツー・ピアメッセージフィルタ１１７またはスーパーピアホスティングサーバー計算機１２０が既に、それが使用のピア・ツー・ピア通信プロトコルの基底変数を理解している、すなわちこれを処理することができるようにセットアップされていない場合である。この場合使用のピア・ツー・ピア通信プロトコルに応じて次のことが考慮されるようにすべきである：
１．  その都度のピア・ツー・ピアサービスのスーパーピアインスタンスがインストールされる（上述したように）および
２．  このスーパーピアがＩＰアドレスによってスーパーピアホスティングサーバー計算機１２０および／または移動端末機１１２に知らされる。この手法はこの場合プロトコル依存である。
【００５８】
所定のピア・ツー・ピア通信プロトコルのスーパーピア選択アルゴリズムが十分にインテリゲントであることを前提とすれば、所定の時間後にスーパーピアはスーパーピアホスティングサーバー計算機１２０において自動的に見つけられかつ移動加入者１１２に知らされる。この瞬間から要求メッセージ１１９は常にスーパーピアホスティングサーバー計算機１２０にアドレス指定されることになる。
【００５９】
従って要約するとピア・ツー・ピアメッセージフィルタ１１７に対して次のタスクがある：
１．  ピア・ツー・ピアサービスの普及度を求める；
２．  ピア・ツー・ピアサービスの所定の普及度からこのピア・ツー・ピアサービスのスーパーピアインスタンスのインストールをスーパーピアホスティングサーバー計算機１２０において開始する；
３．  場合によっては、独自のネットワークにおいてスーパーインスタンスにアドレス指定されていないすべてのメッセージを以下に詳細に説明するように破棄する。
【００６０】
上述したように、ピア・ツー・ピアプロトコルメッセージは既にピア・ツー・ピアサービスの「知られている」ピアの「いずれかの」ＩＰアドレスにアドレス指定される。この知られているピアはピア・ツー・ピアソフトウェアを、「アクティブ」ピアのリストを用意するいわゆるランデブーサーバ計算機を用いてか、予め設定されているアドレス（コンフィギュレーションファイル）に基づいてまたはユーザによる手動の入力に基づいて求める。
【００６１】
これら３つの可能性は独自のスーパーピアを組み入れるための出発点でもある。
【００６２】
独自のスーパピアにアドレス指定されていないメッセージのオペランド解析および操作・処理は非常に煩雑でありかつ例外的にしか有意味ではない。
【００６３】
この種の例外はいわゆる「リディレクター」インスタンスを提供する。これらはプロトコル固有でありかつ例えばランデブーサーバ計算機に匹敵する。これらは同様にピア・ツー・ピアソフトウェアによって直接端末機にアドレス指定されるが、所定のメッセージ（プロトコル固有）によってピアに対してスーパーピアが考慮されるようにすることができる。
【００６４】
従って本発明によればとりわけ、独自のスーパーピアを組み入れるために次の可能性が生じる：
１．  プロトコルのインテリジェンスに頼る（自動的に）；
２．  ランデブーサーバ計算機に独自のスーパーピアのＩＰを与える；
３．  独自のアドレスを既に含んでいるピア・ツー・ピアソフトウェアの修正されたバージョンを使用できるようにする；
４．  独自のウェブサイトでピア・ツー・ピアソフトウェアの手動のコンフィギュレーションに対する独自のスーパーピアのアドレスを使用できるようにする；
５．  ピア・ツー・ピアサービスのリディレクターインスタンスを用いてもしくはリディレクトを許容するピア・ツー・ピアプロトコルメッセージによって、独自のスーパーピアにおけるピア・ツー・ピアソフトウェアが注目されるようにする；
６．  フィルタがスーパーピアにアドレス指定されていないすべてのメッセージを破棄する。しかしこのことは、端末機において独自のスーパーピアを知らしめるための上述した方法と結合されているときにだけ機能する。
【００６５】
スーパーピアホスティングサーバー計算機１２０に相応のピア・ツー・ピアサービスがインストールされているならば、計算機は要求されたピア・ツー・ピアサービスを実施しかつＧＧＳＮ計算機１１２にピア・ツー・ピア応答メッセージ１２１において要求されたピア・ツー・ピアサービスの結果を通報する。ピア・ツー・ピア応答メッセージ１２１はピア・ツー・ピア要求メッセージ１１９を送信する移動無線機１１２に伝送される。引き続いてピア・ツー・ピア要求メッセージ１１９に指定されているマルチメディアファイル、この実施例では所望の呼び出し音を有するファイルがピア・スーパーピアホスティングサーバー計算機１２０のメモリから読み出されかつ移動無線端末機１１２に向けて送信されることができるかまたはその都度のピア・ツー・ピアサーバからロードされるようにしてもよい。
【００６６】
この場合既にインストールされかつ確立されているスーパーピアがいわゆる「キャシング」機能を支援しかつ所望の電話呼び出し音が既に一度照会され、従ってスーパーピアにキャッシュされている、すなわち一時記憶されていることが前提である。こうしてデータ伝送を行うことができる。要求／応答メッセージおよび本来のデータ交換はその都度区別されるべきである。データがキャッシュされていない場合、スーパーピアホスティングサーバー計算機１２０はピア・ツー・ピアネットワークにおいてどこにデータを見つけ出すことができるのかの情報を指示するだけである。それからそこからダウンロードが行われる。
【００６７】
このようにして上述した場合には、データ流がそもそも固定網−通信ネットワーク１０１に達しかつそこでリソースと結び付くことが回避される。
【００６８】
これにより、要求されたピア・ツー・ピアサービスは移動無線端末機１１２にもたらされる。
【００６９】
この関係において、択一的な実施例によれば上述した手法が別の通信装置においても、すなわち固定網−通信ネットワークから移動無線−通信ネットワークへの要求メッセージにおいても設定されていることを指摘しておく。
【００７０】
しかし要求されたピア・ツー・ピアサービスがスーパーピアホスティングサーバー計算機１２０においてインストールされていなければ、スーパーピアホスティングサーバー計算機１２０は要求メッセージ１１９を固定網−通信ネットワーク１０１に転送する（図示されていない）、すなわちインターネットもしくはピア・ツー・ピアネットワーク１１１において別の固定網スーパーピア計算機１０６，１０７もしくは別の固定網ピア・ツー・ピア計算機１０３，１０４，１０５に転送しかつこのようにして固定網計算機１０３，１０４，１０５，１０６，１０７から移動無線端末機１０９に対するピア・ツー・ピアサービスを要求する。この場合スーパーピアホスティングサーバー計算機１２０は明らかに付加的なＩＰルータ計算機である。
【００７１】
更にスーパーピアホスティングサーバー計算機１２０において該計算機にそもそも分かっているそれぞれのピア・ツー・ピアサービスに対して、ピア・ツー・ピア要求の受信の際にそれぞれのピア・ツー・ピアサービスに対して、該それぞれのピア・ツー・ピアサービスがスーパーピアホスティングサーバー計算機１２０にそのときまでにインストールされていないときには値１づつカウントアップされる計数器が設けられている。
【００７２】
計数器の値が予め定めたしきい値を上回ると、スーパーピアホスティングサーバー計算機１２０においてこうして十分な普及度に達したピア・ツー・ピアサービスがインストールメカニズムを用いて手動で、有利には自動的にインストールされかつコンフィギュレーションされる。
【００７３】
それぞれのピア・ツー・ピアサービスがスーパーピアホスティングサーバー計算機１２０にインストールされると、インストールすべきサービスは、それぞれのピア・ツー・ピアサービスのインスタンスがピア・ツー・ピアネットワーク全体の中で１つのスーパーピア計算機に格上げされるように仕方でコンフィギュレーションされかつリソースが、例えば十分な計算容量、十分迅速で、すなわち十分大きな帯域幅を備えている、固定網−通信ネットワークにおける通信接続並びに十分なメモリが備えられる。
【００７４】
この関係においてスーパーピアホスティングサーバー計算機１２０におけるピア・ツー・ピアサービスのインストールの際にサービスはピア・ツー・ピアサービスの相応に設けられているワールド・ワイド・ウェブサイトで公開されもしくはいわゆる「ランデブー」サーバ計算機またはホスト・キャッシュへのエントリが行われる。
【００７５】
所定のピア・ツー・ピアサービスを利用しようとする移動無線端末機１１２も、有利には自動的に、それぞれのピア・ツー・ピアサービスに対するスーパーピアインスタンスの存在を介してプロバイダー独自の無線通信ネットワークにおいて通報されかつ相応にコンフィギュレーションされることができる。
【００７６】
具体的に言うなれば本発明は、スーパーピア計算機が移動無線−通信ネットワークにできるだけ最適に結合されているもしくは移動無線−通信ネットワーク１０２において既にそれ自体配置されておりかつ移動無線網−プロバイダーによって作動されるので、移動無線端末機１０９から送信されるピア・ツー・ピア要求メッセージがとりわけ固定網ベースドピア・ツー・ピアネットワーク全体１１１に伝送されるのではなく、メッセージは既にできるだけ早期に処理されるので、生じるデータ交換が低減される点に見ることができる。
【００７７】
この関係において、本発明は２つのハイアラーキを備えているピア・ツー・ピアアーキテクチャにもハイブリッドな、任意の付加的なハイアラーキレベルを備えているピア・ツー・ピアアーキテクチャにも適用可能であることを指摘しておく。
【図面の簡単な説明】
【００７８】
【図１】本発明の実施例の略図
2009514260.tif 000003
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
通信システム（１００）であって、
・  固定網−通信ネットワーク（１０１）を備え、
・  移動無線−通信ネットワーク（１０２）を備え、
・  移動無線−固定網−インタフェース計算機（１１６）を備え、該インタフェース計算機は固定網−通信ネットワーク（１０１）および移動無線−通信ネットワーク（１０２）と結合されていて、固定網−通信ネットワーク（１０１）および移動無線−通信ネットワーク（１０２）間のデータ流がマッピングされるようにし、
・  移動無線網−固定網−インタフェース計算機（１１６）に結合されているスーパーピア計算機（１２０）を備え、かつ
・  移動無線−通信ネットワーク（１０２）に配置されているピア・ツー・ピアメッセージフィルタ（１１７）を備え、該ピア・ツー・ピアメッセージフィルタは、移動無線−通信ネットワーク（１０２）から該ピア・ツー・ピアメッセージフィルタに供給されるピア・ツー・ピアメッセージ（１１９）が求められかつスーパーホスト計算機（１２０）に供給することができるようにセットアップされている
通信システム（１００）。
【請求項２】
固定網−通信ネットワーク（１０１）は、インターネットプロトコルを使用するように実現されている
請求項１記載の通信システム（１００）。
【請求項３】
スーパーピアホスト計算機（１２０）は移動無線−通信ネットワーク（１０２）に配置されている
請求項１または２記載の通信システム（１００）。
【請求項４】
移動無線−通信ネットワーク（１０２）は、第３世代または次世代の移動無線システムを使用するように実現されている
請求項１から３までのいずれか１項記載の通信システム（１００）。
【請求項５】
・  移動無線−通信ネットワーク（１０２）は、次の移動無線−通信ネットワーク（１０２）の１つを使用するように実現されている：
・  ユニバーサル移動テレコミュニケーションシステム（Universal Mobile Telecommunications System＝ＵＭＴＳ）、
・  フューチャーパブリックランド移動電話システム（Future Public Land Mobile Telephone System＝ＦＰＬＭＴＳ）
請求項４記載の通信システム（１００）。
【請求項６】
移動無線−通信ネットワーク（１０２）は、グループスペシャル移動（Groupe Speciale Mobile＝ＧＳＭ）に従った移動無線−通信ネットワークであるように実現されている
請求項１から３までのいずれか１項記載の通信システム（１００）。
【請求項７】
・  移動無線−通信ネットワーク（１０２）はユニバーサル移動テレコミュニケーションシステム（Universal Mobile Telecommunications System＝ＵＭＴＳ）に基づいており、かつ
・  移動無線網−固定網−インタフェース計算機（１１６）はゲートウェイＧＰＲＳサポートノード計算機である
請求項５記載の通信システム（１００）。
【請求項８】
ピア・ツー・ピアサービスに対する問い合わせの頻度が少なくともしきい値に達するとき該ピア・ツー・ピアサービスがスーパーピア計算機（１２０）にインストールされるようにセットアップされているインスタレーションメカニズムを備えている
請求項１から７までのいずれか１項記載の通信システム（１００）。
【請求項９】
移動無線−通信ネットワーク（１０２）からピア・ツー・ピアメッセージフィルタ（１１７）に供給されるピア・ツー・ピアメッセージ（１１９）が求められかつスーパーピア計算機（１２０）に供給することができるようにセットアップされている、請求項１から８までのいずれか１項記載の通信システムにおいて使用されるピア・ツー・ピアメッセージフィルタ（１１７）。
【請求項１０】
・  移動無線ピア・ツー・ピアメッセージ（１１９）を移動無線−通信ネットワーク（１０２）に配置されているピア・ツー・ピアメッセージフィルタ計算機（１１６，１１７）によって求め、
・  移動無線ピア・ツー・ピアメッセージ（１１９）を移動無線網−固定網−インタフェース計算機（１１６）に結合されているスーパーピア計算機（１２０）に伝送し、かつ
・  移動無線ピア・ツー・ピアメッセージ（１１９）をスーパーピア計算機（１２０）によって処理する、
請求項１から８までのいずれか１項記載の通信システムまたは請求項９記載のピア・ツー・ピアメッセージフィルタにおけるピア・ツー・ピアメッセージの処理方法。
【手続補正２】
【補正対象書類名】明細書
【補正対象項目名】０００４
【補正方法】変更
【補正の内容】
【０００４】
ハイブリッドピア・ツー・ピアアーキテクチャの枠内において、ピア・ツー・ピアホスト計算機、すなわちピア・ツー・ピアサービスがインストールされている計算機に基づいてハイブリッドピア・ツー・ピアサービス内で「ノーマル」ピア・ツー・ピア計算機をスーパーピア計算機として選択するメカニズムを使用することが公知である。性能データとして例えば中央処理ユニット（ＣＰＵ）の計算容量、ピア・ツー・ピア計算機が接続されている通信インタフェースもしくは通信接続の、使用することができる帯域幅、並びにピア・ツー・ピア計算機において使用可能なメモリ場所が使用される。
更にインタフェース計算機が移動無線網から接続されている固定網、例えばインターネットへのデータ流をマッピングする、およびその逆向きにマッピングすることによって、移動無線網において移動端末機に対するピア・ツー・ピアサービスが行われるようにすることが公知である。
【国際調査報告】
2009514260.tif 000004
2009514260.tif 000005
2009514260.tif 000006
2009514260.tif 000007
2009514260.tif 000008
2009514260.tif 000009